(57)【要約】【課題】光源ランプと内視鏡の照明用ライトガイドとの間に配置された赤外線吸収フィルタが部分的な熱膨張差により破損する恐れのない内視鏡用光源装置を提供すること。【解決手段】内視鏡の照明用ライトガイド５に入射させる照明光を放射する光源ランプ１１と照明用ライトガイド５の入射端５ａとの間に、光源ランプ１１から放射される照明光に含まれる赤外線を吸収するための赤外線吸収フィルタ１３が配置された内視鏡用光源装置において、赤外線吸収フィルタ１３を、光源ランプ１１から放射される照明光が全面に照射される状態に配置した。【選択図】      図１
2006288508.tif 000002
【特許請求の範囲】
【請求項１】
内視鏡の照明用ライトガイドに入射させる照明光を放射する光源ランプと上記照明用ライトガイドの入射端との間に、上記光源ランプから放射される照明光に含まれる赤外線を吸収するための赤外線吸収フィルタが配置された内視鏡用光源装置において、
上記赤外線吸収フィルタを、上記光源ランプから放射される照明光が全面に照射される状態に配置したことを特徴とする内視鏡用光源装置。
【請求項２】
上記赤外線吸収フィルタが円板状の形状に形成されている請求項１記載の内視鏡用光源装置。
【請求項３】
上記赤外線吸収フィルタの外縁寄りの領域を通過した照明光線を遮るための遮光マスクが、上記赤外線吸収フィルタと上記照明用ライトガイドの入射端との間に配置されている請求項１又は２記載の内視鏡用光源装置。
【請求項４】
上記遮光マスクが、上記赤外線吸収フィルタの周囲を通過する照明光線も遮光する請求項３記載の内視鏡用光源装置。
【請求項５】
上記光源ランプと上記赤外線吸収フィルタとの間に、上記光源ランプから放射される照明光に含まれる赤外線を反射するための赤外線反射フィルタが配置されている請求項１、２、３又は４記載の内視鏡用光源装置。
【請求項６】
上記赤外線反射フィルタは、上記赤外線吸収フィルタに照射される照明光がその前に全て上記赤外線反射フィルタを通過する状態に配置されている請求項５記載の内視鏡用光源装置。
【発明の詳細な説明】
【技術分野】
【０００１】
この発明は、内視鏡の照明用ライトガイドに照明光を供給するための内視鏡用光源装置に関する。
【背景技術】
【０００２】
内視鏡の照明用ライトガイドに入射される照明光線束に熱線が多く含まれていると、照明用ライトガイドの入射端が熱により破壊されたり、内視鏡挿入部の先端で照明用ライトガイドから射出される照明光が熱すぎて被写体である人体組織が火傷をする等の危険性がある。
【０００３】
そこで、例えば図３に示されるように、内視鏡の照明用ライトガイド１００に入射させる照明光を放射する光源ランプ９１と照明用ライトガイド１００の入射端１００ａとの間に、光源ランプ９１から放射される照明光に含まれる赤外線を吸収するための赤外線吸収フィルタ９２が配置されている（例えば、特許文献１、２、３、４）。９３は赤外線反射フィルタ、９４は集光レンズである。
【特許文献１】特開平８−１０６０５９
【特許文献２】実公平７−４６９０１
【特許文献３】特開平８−１０１３５３
【特許文献４】特開平１１−１１９１１８
【発明の開示】
【発明が解決しようとする課題】
【０００４】
従来の内視鏡用光源装置においては、図３に示されるように、光源ランプ９１から放射された照明光が全て赤外線吸収フィルタ９２を通過するように、赤外線吸収フィルタ９２が照明光線束Ａより大きく形成されている。
【０００５】
しかし、赤外線吸収フィルタ９２は、照明光が照射される領域では赤外線を吸収することにより温度が上昇して膨張するのに対して、照明光が照射されない周辺寄りの領域では熱膨張しないので、その膨張差により赤外線吸収フィルタ９２が破損する可能性があった。
【０００６】
そこで本発明は、光源ランプと内視鏡の照明用ライトガイドとの間に配置された赤外線吸収フィルタが部分的な熱膨張差により破損する恐れのない内視鏡用光源装置を提供することを目的とする。
【課題を解決するための手段】
【０００７】
上記の目的を達成するため、本発明の内視鏡用光源装置は、内視鏡の照明用ライトガイドに入射させる照明光を放射する光源ランプと照明用ライトガイドの入射端との間に、光源ランプから放射される照明光に含まれる赤外線を吸収するための赤外線吸収フィルタが配置された内視鏡用光源装置において、赤外線吸収フィルタを、光源ランプから放射される照明光が全面に照射される状態に配置したものである。
【０００８】
なお、赤外線吸収フィルタが円板状の形状に形成されていてもよい。そして赤外線吸収フィルタの外縁寄りの領域を通過した照明光線を遮るための遮光マスクが、赤外線吸収フィルタと照明用ライトガイドの入射端との間に配置されていてもよく、その場合、遮光マスクが、赤外線吸収フィルタの周囲を通過する照明光線も遮光するようにしてもよい。
【０００９】
また、光源ランプと赤外線吸収フィルタとの間に、光源ランプから放射される照明光に含まれる赤外線を反射するための赤外線反射フィルタが配置されていてもよく、その場合、赤外線反射フィルタは、赤外線吸収フィルタに照射される照明光がその前に全て赤外線反射フィルタを通過する状態に配置されていてもよい。
【発明の効果】
【００１０】
赤外線吸収フィルタの温度は、光源ランプから放射される照明光に含まれる赤外線を吸収することにより上昇するが、本発明においては、赤外線吸収フィルタが光源ランプから放射される照明光が全面に照射される状態に配置されていることにより全体的に均一に近い温度上昇状態になるので、部分的な熱膨張差による破損が発生しない。
【発明を実施するための最良の形態】
【００１１】
内視鏡の照明用ライトガイドに入射させる照明光を放射する光源ランプと照明用ライトガイドの入射端との間に、光源ランプから放射される照明光に含まれる赤外線を吸収するための赤外線吸収フィルタが配置された内視鏡用光源装置において、赤外線吸収フィルタを、光源ランプから放射される照明光が全面に照射される状態に配置する。
【実施例】
【００１２】
図面を参照して本発明の実施例を説明する。
図２は、光源装置１０に内視鏡が接続された状態を示しており、内視鏡の挿入部１の基端には操作部２が連結され、操作部２から後方に延出する連結可撓管３の先端に、光源装置１０に対して接続／分離自在なコネクタ部４が取り付けられている。
【００１３】
５は、内視鏡の被写体を照明する照明光を伝達するためのライトガイドファイババンドルであり、その入射端５ａはコネクタ部４の突端に配置され、射出端５ｂは挿入部１の先端に配置されている。
【００１４】
光源装置１０内には、その部分を拡大して図示する図１にも示されるように、ライトガイドファイババンドル５に入射させる照明光を放射する光源ランプ１１が配置されている。光源ランプ１１としては、例えばキセノンランプやハロゲンランプ等を用いることができる。
【００１５】
光源ランプ１１で発生した照明光線束Ａは、例えば放物面鏡状に形成された反射鏡１１ａにより平行光線束になってライトガイドファイババンドル５の入射端５ａの方向に向けて放射され、集光レンズ１２によりライトガイドファイババンドル５の入射端５ａに収束する。
【００１６】
そのような光源ランプ１１と集光レンズ１２との間には、光源ランプ１１から放射される照明光に含まれる赤外線を吸収するための赤外線吸収フィルタ１３が配置されていて、赤外線吸収フィルタ１３と集光レンズ１２との間には遮光マスク１４が配置され、赤外線吸収フィルタ１３と光源ランプ１１との間には赤外線反射フィルタ１５が配置されている。
【００１７】
赤外線吸収フィルタ１３は、光軸に垂直な断面が円形形状である照明光線束Ａの径より小さな径の円板状の形状に形成されて、照明光線束Ａの軸線位置に中心軸線が位置するように配置されている。
【００１８】
したがって、光源ランプ１１から放射された照明光線束Ａが赤外線吸収フィルタ１３の全面に照射されてそこで赤外線の何割かが吸収除去され、照明光線束Ａの周辺部分の光線束は赤外線吸収フィルタ１３に触れることなく赤外線吸収フィルタ１３の周囲を通過する。
【００１９】
遮光マスク１４は、そのようにして赤外線吸収フィルタ１３を通過した照明光線束Ａ中の不要周辺光を遮るためのものであり、照明光線束Ａの中の、赤外線吸収フィルタ１３の外縁寄りの領域を通過した光線束と、赤外線吸収フィルタ１３の周囲を通過した光線束とを遮るように、照明光線束Ａの光軸に中心軸を合わせて円形の光通過孔が形成されている。
【００２０】
また、赤外線反射フィルタ１５は、光源ランプ１１から放射された照明光線束Ａが赤外線吸収フィルタ１３に直接入射することのないよう、赤外線吸収フィルタ１３より大きな径の円板状に形成されている。したがって、赤外線吸収フィルタ１３に照射される照明光線束Ａは、その前に全ての領域において赤外線反射フィルタ１５を通過して赤外線の何割かが反射除去されたものになっている。
【００２１】
このような構成により、遮光マスク１４を通過してライトガイドファイババンドル５の入射端５ａに向かう照明光線束Ａは、全ての範囲において赤外線が赤外線反射フィルタ１５で何割か反射除去された後、さらに赤外線吸収フィルタ１３で何割かが吸収除去されたものになっているので、ライトガイドファイババンドル５の入射端５ａを熱破壊したり射出端５ｂから射出される照明光で人体組織を火傷させる等の危険性がない。
【００２２】
そして、赤外線吸収フィルタ１３は赤外線を吸収することにより温度が上昇するが、光源ランプ１１から放射されて赤外線反射フィルタ１５を通過した照明光線束Ａが赤外線吸収フィルタ１３の全面にくまなく照射されることにより、全体的に均一に近い温度上昇状態になるので、部分的な熱膨張差による破損等が発生しない。
【００２３】
なお、本発明は上記実施例に限定されるものではなく、例えば遮光マスク１４や赤外線反射フィルタ１５の配置を変更したり省略した構成のものであっても差し支えない。また、赤外線吸収フィルタ１３は固定的に設けられていてもよく、或いは照明光線束Ａ中に挿脱自在に配置されていてもよい。
【図面の簡単な説明】
【００２４】
【図１】本発明の実施例の内視鏡用光源装置の部分拡大構成図である。
【図２】本発明の実施例の内視鏡用光源装置に内視鏡が接続された状態の構成図である。
【図３】従来の内視鏡用光源装置の構成図である。
【符号の説明】
【００２５】
５  ライトガイドファイババンドル（照明用ライトガイド）
５ａ  入射端
１０  光源装置
１１  光源ランプ
１３  赤外線吸収フィルタ
１４  遮光マスク
１５  赤外線反射フィルタ
Ａ  照明光線束
【図１】
2006288508.tif 000003
【図２】
2006288508.tif 000004
【図３】
2006288508.tif 000005